(57)【要約】      （修正有）【課題】自動車の座席間や座席とコンソールの間に差し込んで、小物収納具を水平に取り付けることができる自動車用小物収納具の取付方法を提供する。【解決手段】四角形の平面部の両側辺から下方に延設された第１差込片と第２差込片とからなる撓み性を有する取付プレート２と、底面に取付プレート２の平面部との接続手段を備えた小物収納具３とからなる自動車用小物収納具１であって、第１差込片と第２差込片の裏側に滑止部を対向するように備えた。【選択図】図１
2013043628.tif 000002
【特許請求の範囲】
【請求項１】
四角形の平面部の両側辺から下方に延設された第１差込片と第２差込片とからなる撓み性を有する取付プレートと、底面に該取付プレートの平面部との接続手段を備えた小物収納具とからなる自動車用小物収納具であって、該第１差込片と該第２差込片の裏側に滑止部を対向するように備えたことを特徴とする自動車用小物収納具の取付方法。
【発明の詳細な説明】
【技術分野】
【０００１】  本発明は、自動車の車室内で小物類を整理収納するための収納具の取付方法に関し、特に座席間や座席とコンソールの間に差し込んで装着する自動車用小物収納具の取付方法に関する。
【背景技術】
【０００２】  従来、自動車の座席に小物入れなどの収納具を取り付ける場合、その収納具に備えられた固定部材を座席間の隙間や、座席の座面と背もたれの隙間に差し込んで固定する構造が知られている。例えば、特開２００８−４４５９２号公報（特許文献１）に開示された「自動車の物品取付構造」は、自動車の座席や開閉蓋のあるグローブボックスなどに、小物入れなどの物品を取り付けるための構造に関するもので、可撓性を有し帯状でその長手方向に直交した方向に両端を解放した筒状部を複数備えるとともに、該複数の筒状部の何れか１つに円柱状の固定部材を備えた取付具を物品から延設している。この取付具を座席間の隙間に差し込むことで、円柱状の固定部材が座席間で引っ掛かることで抜け止めとなり、小物入れなどの物品を確実に取り付けることができるようにしたものである。
【先行技術文献】
【特許文献】
【０００３】
【特許文献１】  特開２００８−４４５９２号公報
【発明の開示】
【発明が解決しようとする課題】
【０００４】  しかしながら、特許文献１の自動車の物品取付構造は、取り付け場所が傾斜している場合、その傾斜に沿って小物入れなどの物品も傾斜する。従って、収納した小物類も傾いて保持されることとなり安定した収納が期待できない。【０００５】  そこで本発明は、これらの課題を解決するとともに、自動車の座席間や座席とコンソールの間に差し込んで、小物収納具を水平に取り付けることができる自動車用小物収納具の取付方法を提供することを目的とする。
【課題を解決するための手段】
【０００６】  四角形の平面部の両側辺から下方に延設された第１差込片と第２差込片とからなる撓み性を有する取付プレートと、底面に該取付プレートの平面部との接続手段を備えた小物収納具とからなる自動車用小物収納具であって、該第１差込片と該第２差込片の裏側に滑止部を対向するように備えたことで解決される。
【発明の効果】
【０００７】四角形の平面部の両側辺から下方に延設された第１差込片と第２差込片とからなる撓み性を有する取付プレートと、底面に該取付プレートの平面部との接続手段を備えた小物収納具とからなる自動車用小物収納具であって、該第１差込片と該第２差込片の裏側に滑止部を対向するように備えたので、取付プレートを自動車の座席間や座席とコンソールの隙間に差し込んだとき、取付プレートの第１差込片と第２差込片の合わせ位置をずらすことで平面部を容易に水平状態とすることができる。そして平面部に小物収納具をその底面に備えられた接続手段で装着することで、小物収納具に収納された小物類を安定して保持することを可能とし、使い勝手に優れた自動車用小物収納具の取付方法を実現した。
【図面の簡単な説明】
【０００８】
【図１】本発明の自動車用小物収納具の取付方法の斜視図である。
【図２】本発明の自動車用小物収納具の分解状態を示す斜視図である。
【図３】本体の側面図である。
【図４】取付プレートの展開状態の平面図である。
【図５】取付プレートの展開状態の背面図である。
【図６】本体の使用状態を示す側面図である。
【図７】座席間の隙間に装着する状態を示す図である。
【図８】座席とコンソール間の隙間に装着する状態を示す図である。
【図９】座席間の隙間に装着した状態を示す図である。
【図１０】座席間の隙間に装着した状態を示す図である。
【図１１】座席間の隙間に装着した状態を示す図である。
【図１２】座席の座面と背もたれの隙間に装着した状態を示す図である。
【発明を実施するための形態】
【実施例１】
【０００９】  本発明の本発明の自動車用小物収納具の取付方法の斜視図、図２は、本発明の自動車用小物収納具の分解状態を示す斜視図、図３は本体（１）の側面図である。【００１０】  図１乃至図３に表されるように、自動車用小物収納具の本体（１）は、取付プレート（２）と、小物収納具（３）とから構成される。【００１１】  図４は、取付プレート（２）の展開状態の平面図である。取付プレート（２）は、図５に表されるように、四角形の平面部（２ｃ）の両側辺（２ｄ）から折り曲げ自在に延設された第１差込片（２ａ）と第２差込片（２ｂ）とから構成され、第１差込片（２ａ）と第２差込片（２ｂ）の端部同士は開放された状態で構成される。また取付プレート（２）は、自動車の座席（４）間の隙間や、座席（４）とコンソール（５）との隙間に第１差込片（２ａ）と第２差込片（２ｂ）とを差し込んだときに撓むようにポリプロピレンなどの板材から形成される。【００１２】  図５は、取付プレート（２）の展開状態の背面図である。第１差込片（２ａ）と第２差込片（２ｂ）の裏側には、滑止部（２ｅ）を対向するように備え、自動車の座席（４）間の隙間や、座席（４）とコンソール（５）との隙間に第１差込片（２ａ）と第２差込片（２ｂ）とを差し込んだときに、第１差込片（２ａ）と第２差込片（２ｂ）のそれぞれの裏側に備えられた滑止部（２ｅ）同士が密着する効果を得ることができる。【００１３】  小物収納具（３）は、上面を開放した箱状に形成されている。底面には、面ファスナーなどの接続手段が備えられており、取付プレート（２）の平面部（２ｃ）に備えられた接続手段である面ファスナーと着脱可能に接続される。もちろん、小物収納具（３）の底面と、取付プレート（２）の平面部（２ｃ）が予め縫製などで着脱不可能に接続されていてもよい。【００１４】  図６は、本体（１）の使用状態を示す側面図である。四角形の平面部（２ｃ）の両側辺（２ｄ）から延設された第１差込片（２ａ）と第２差込片（２ｂ）とは、両側辺（２ｄ）の部分で折り曲げ自在であるので、図中矢印の如く第１差込片（２ａ）と第２差込片（２ｂ）双方を上下方向にずらすことによって、平面部（２ｃ）の角度を可変することができる。【００１５】  自動車の座席（４）間の隙間や、座席（４）とコンソール（５）との隙間が鉛直に下方にない場合、すなわち座席（４）間の段差があったり、下方に傾いた隙間であったりする場合、取付プレート（２）をそのまま差し込むと取付プレート（２）の平面部（２ｃ）が傾斜して装着されてしまう。前記したように、第１差込片（２ａ）と第２差込片（２ｂ）双方を上下方向にずらすことによって、平面部（２ｃ）の角度を容易に水平にすることができる。また、第１差込片（２ａ）と第２差込片（２ｂ）のそれぞれの裏側に備えられた滑止部（２ｅ）によって、座席（４）間の隙間にいわば圧入して差し込むために双方が密着して、ずらしたときの角度を確実に固定することができる。【００１６】  図７及び図８は、以上のように構成された本体（１）を、自動車の座席（４）間の隙間や、座席（４）とコンソール（５）との隙間に装着する状態を示した図である。図９は、本体（１）を装着した状態を示した図で、取付プレート（２）が��直に下方に差し込まれた状態である。他方図１０は、座席（４）間の隙間が斜めに開口しているため、そのまま取付プレート（２）を差し込んだ状態を示している。この場合、平面部（２ｃ）は傾斜し、このような状態で小物収納具（３）に小物類を収納したとしても安定して保持することができない。【００１７】  図１１及び図１２は、図１０で示した平面部（２ｃ）が傾斜した状態を解消した図である。第１差込片（２ａ）と第２差込片（２ｂ）双方を上下方向にずらして差し込むことによって、容易に平面部（２ｃ）の角度を水平にすることができる。
【符号の説明】
【００１８】１          本体
２          取付プレート
２ａ        第１差込片
２ｂ        第２差込片
２ｃ        平面部
２ｄ        折り線
２ｅ        滑止部
２ｆ        面ファスナー
３          小物収納具
４          座席
４ａ        背もたれ
５          コンソール
６          座席
【図１】
2013043628.tif 000003
【図２】
2013043628.tif 000004
【図３】
2013043628.tif 000005
【図４】
2013043628.tif 000006
【図５】
2013043628.tif 000007
【図６】
2013043628.tif 000008
【図７】
2013043628.tif 000009
【図８】
2013043628.tif 000010
【図９】
2013043628.tif 000011
【図１０】
2013043628.tif 000012
【図１１】
2013043628.tif 000013
【図１２】
2013043628.tif 000014